(57)【特許請求の範囲】
【請求項１】
コア上に線材を巻き付けるのに用いられる巻線方法であって、
第一留め具の第一留め口によってコアが挟み込まれて回転を行ない、
第二留め具の挟み台座部によって第一留め具と共同でコアが挟み込まれて抵触することで、第二留め具が連動されて第一留め具と同一回転方向に回転され、
第二留め具前端に着脱可能の形式で挟み台座部上に治具が設置されることで、コアの両電極間の隙間中に進入してそこに位置することにより、巻き付けられる線材が前記治具を経てコア上の電極に折り返られることを特徴とする巻線方法。
【請求項２】
前記治具は、弾性素子の作用を受ける治具台座部上に設置され、治具台座部は、位置移動区間において、移動してコアに抵触するか、コアから離脱すると同時に、治具と連動して同時に移動することを特徴とする請求項1に記載の巻線方法。
【請求項３】
前記治具台座部は、前進してコアに抵触する時、連動される治具上の一掛線台座部が、コアの二電極間の隙間中に進入し、このうち、進入方向と逆の方向に掛線台座部前端に向かって、掛線台座部前端の湾角部位の折り返し掛端が左側に近寄った電極で、前記左側の電極が、巻線時に線材が前記折り返し掛端を経て折り返した後、その上を経てハンダ溶接されて固定された電極でもあることを特徴とする請求項２に記載の巻線方法。
【請求項４】
コア上に線材を巻き付けるのに用いられて、
入線巻き付けステップにより、巻き針が同時に三本の線材を牽引して、第一留め具上の第一掛線突起、第二掛線突起、第三掛線突起に巻き付いて経由し、コアの一端の突起縁上の電極を経由する時、線材が前記端の電極にハンダ溶接で固定されて、その後、線材がボビン上に巻き付けられ、
折り返しステップにより、巻き針が線材を牽引して、それぞれ治具に寄って折り返して、線材が第二留め具上の第五掛線突起、第六掛線突起に巻き付いて、線材が、それぞれ経由する電極にハンダ溶接されて固定され、
リターンステップにより、巻き針が線材を牽引して、電極前方位置に向かって元の位置に戻り、
出線ステップにより、巻き針が  線材を牽引することで、やや縦向きに出線して第二留め具上の第四掛線突起方向に移動して、第四掛線突起に巻き付いて出線し、経由する電極の箇所でハンダ溶接が行なわれて、線材と電極がハンダ溶接されて固定されることを特徴とする巻線方法。
【請求項５】
コア上に線材を巻き付けるのに用いられて、
複数の線材が同時に牽引されて、コアの一端の突起縁上の複数の電極を経て、各線材がそれぞれ前記複数の電極にハンダ溶接されて固定された後、コアのボビンに巻き付けられ、線材がコアの他端突起縁から出線すると、一部の複数の線材は巻き付いて両電極間の治具に進入して電極を折り返した後出線し、線材が経由した電極上において線材がその電極にハンダ溶接されて固定され、一部の線材は治具を折り返さず、前述の折り返した線材に伴って出線し、前記治具が巻線完了後、コア両電極間から取り除かれることを特徴とする巻線方法。
【請求項６】
前記線材が、出線後再び全ての線材が各電極前の位置に戻って縦向きに出線することを特徴とする請求項５に記載の巻線方法。
【請求項７】
コア上に線材を巻き付けるのに用いられる巻線装置であって、
駆動を受けて回転を行ない、固定留め爪及び可動留め爪を備えて、二者間の前端には第一留め口が設置される第一留め具と、
駆動を受けて回転を行ない、挟み台座部を備えて、挟み台座部前端に治具が設置されて、前記治具が着脱可能で挟み台座部上に設置される第二留め具とを備えて、
前記第一留め具の第一留め口と第二留め具が共同でコアを挟み込んで抵触することで、同一回転方向に回転される時、前記治具がコア両電極間の隙間に進入して、そこに位置することを特徴とする巻線装置。
【請求項８】
前記第二留め具の挟み台座部に縦向きの切れ込み槽が設置され、切れ込み槽上に治具台座部が設置され、治具台座部前端にはめ込み設定区間が設置されて、前記治具が前記治具台座部上のはめ込み設定区間中に設置されることを特徴とする請求項７に記載の巻線装置。
【請求項９】
前記治具台座部底部に固定槽が設置されることを特徴とする請求項８に記載の巻線装置。
【請求項１０】
前記切れ込み槽上には、スライド台座部が設置されて、その上に軸方向にスライド槽が設置されて、前記治具台座部は、軸方向にスライド槽中に設置されることを特徴とする請求項８に記載の巻線装置。
【請求項１１】
前記切れ込み槽末端には、収納穴が設置されて、その中に弾性素子が収納されることを特徴とする請求項８に記載の巻線装置。
【請求項１２】
前記切れ込み槽の両側に、それぞれ槽辺が設置され、両槽辺はそれぞれ相対応する部位において、位置固定区間が凹設され、両槽辺の外側にはそれぞれ固定台座部が設置されることを特徴とする請求項８に記載の巻線装置。
【請求項１３】
前記切れ込み槽底部には、位置固定ピンが設置されて、前記切れ込み槽上には、スライド台座部が設置され、その上には軸方向にスライド槽が設置され、スライド台座部底部にはめ込み孔が設置され、前記はめ込み孔には前記切れ込み槽底部の位置固定ピンがはめ込まれることを特徴とする請求項８に記載の巻線装置。
【請求項１４】
前記治具台座部上には、位置固定区間が凹設され、前記位置固定区間上には押し部材が設置されて覆われることを特徴とする請求項８に記載の巻線装置。
【請求項１５】
前記押し部材下方には、同時に凹設区間が形成され、凹設区間両側には、それぞれ挟み台座部上の二個の固定台座部に対応する跨ぎ台座部を形成することを特徴とする請求項１４に記載の巻線装置。
【請求項１６】
前記第一留め具上には、第一掛線突起、第二掛線突起、第三掛線突起が設置され、
前記押し部材上には、第四掛線突起、第五掛線突起、第六掛線突起が設置されることを特徴とする請求項１４に記載の巻線装置。
【請求項１７】
前記治具には、はめ込み台座部が縦に形成されて、はめ込み台座部下方の後ろに向かって固定抵触部が設置され、はめ込み台座部上方の前に向かって掛線台座部が設置され、掛線台座部前端には、湾角部位に位置する折り返し掛端及び折り返し掛端上縁に位置する遮縁が設置されることを特徴とする請求項７に記載の巻線装置。
【請求項１８】
前記掛線台座部の幅は、コア上の二電極間の隙間より小さいことを特徴とする請求項１７に記載の巻線装置。
【請求項１９】
前記治具は、複数設置され、二治具間の間隔は、ちょうどコア上の各電極間の隙間間の距離であることを特徴とする請求項７に記載の巻線装置。
【請求項２０】
請求項１から６のいずれかに記載の巻線方法を実行するのに用いられる装置であることを特徴とする巻線装置。
【発明の詳細な説明】
【技術分野】
【０００１】
本発明は、巻線方法及びその装置に関し、特に、コアの両突起縁部間のボビンに線材を巻き付ける巻線方法及びその装置に関する。
【背景技術】
【０００２】
一般に、コアの両突起縁部間のボビンが線材を巻き取る場合、通常、巻線時に線材が入線端となる突起縁部から進入した後、前記入線端の線材が先ず前記入線端突起縁部上の電極にハンダ固定された後、前記ボビンに線材が所定の回数巻かれて、線材の他端がさらに出線端突起縁部上の電極にハンダ固定されて、コア上の線材の巻き付けが完了する。一個以上の複数の線材が同時にコアのボビンに巻き付けられる巻線過程において、通常、入線端となる突起縁部及び出線端となる突起縁部上に複数の電極が設置され、複数の掛け線突起を組み合わせて線材の折り返し突起とする必要がある。
【０００３】
従来の技術である特許番号I237278「薄型コモンモードチョークコイル（Common  Mode  Choke  Coils）」に、複数の電極を有するコイルが開示されている。前記技術は、一個の巻線抵抗コア部分、それぞれ前記巻線抵抗コア部分の両端に設置される突起縁、相互間において所定の距離によって各突起縁上に設置されることで、相互間に電気の接触がない複数の電極、及び、前記巻線抵抗コア部分に巻き付けられて、その開始端と終止端が前記複数の電極の所定の電極に接続されて、前記巻線抵抗コア部分の軸方向上において、突出する突起が前記巻線抵抗コア部分の両端上の各突起縁の内表面上の各電極の間の領域中に設置されるのに提供される複数のリード線を備えることを特徴とする。
【発明の概要】
【発明が解決しようとする課題】
【０００４】
前記従来の技術は、軸方向上に突出した突起が、前記巻線抵抗コア部分の両端上の各突起縁の内表面上の各電極の間の領域中に設置されるのに提供されることにより、線材が電極に巻き付けられる時に、隣り合う電極間のストロークの距離が大きくなる上に、隣り合う電極が対応する突起から離されるため、リード線が接続される電極に接触せず、隣り合う電極の接触が確実に回避される。しかしながら、前記従来の技術は、コアの構造を変更せざるを得ない。すなわち、コアが、ボビン部両端の各突起縁上において、電極の内表面軸方向上に突出する突起が形成されることになる。さもなくば、前記の効果が達成できず、コアがボビン部両端の各突起上の電極の内表面に対して不適合を生じたり、軸方向ではない突起がコアに設置された場合、前記線材巻き付けの効果を得ることができない。
【０００５】
したがって、本発明は、従来の技術の欠点を解決する巻線方法及びその装置を提供することを課題とする。
【課題を解決するための手段】
【０００６】
上記課題を解決するために、本発明は、コアの構造を変更することなく、線材の折り返しを実行する巻線方法を提供することを目的とする。
【０００７】
さらに、上記課題を解決するために、本発明は、線材が出線される時、一部が折り返し治具で、一部が折り返し治具ではない巻線方法を提供することを目的とする。
【０００８】
またさらに、上記課題を解決するために、本発明は、コアの構造を変更することなく、線材の折り返しを実行する巻線装置を提供することを目的とする。
【０００９】
またさらに、上記課題を解決するために、本発明は、請求項１から６のいずれかに記載の巻線方法を実行するのに用いられる巻線装置を提供することを目的とする。
【００１０】
本発明の巻線方法は、コア上に線材を巻き付けるのに用いられて、第一留め具の第一留め口によってコアが挟み込まれて回転を行ない、第二留め具の挟み台座部によって第一留め具と共同でコアが挟み込まれて抵触することで、第二留め具が連動されて第一留め具と同一回転方向に回転され、第二留め具前端に着脱可能の形式で挟み台座部上に治具が設置されることで、コアの両電極間の隙間中に進入してそこに位置することにより、巻き付けられる線材が前記治具を経てコア上の電極に折り返られることを特徴とする。
【００１１】
さらに、本発明の巻線方法は、コア上に線材を巻き付けるのに用いられて、入線巻き付けステップにより、巻き針が同時に三本の線材を牽引して、第一留め具上の第一掛線突起、第二掛線突起、第三掛線突起に巻き付いて経由し、コア一端の突起縁上の電極を経由する時、線材が前記端の電極にハンダ溶接で固定されて、その後、線材がボビン上に巻き付けられる。折り返しステップにより、巻き針が線材を牽引して、それぞれ治具に寄って折り返して、線材が第二留め具上の第五掛線突起、第六掛線突起に巻き付いて、線材が、それぞれ経由する電極にハンダ溶接されて固定される。リターンステップにより、巻き針が線材を牽引して、電極前方位置に向かって元の位置に戻る。出線ステップにより、巻き針が線材を牽引することで、やや縦向きに出線して第二留め具上の第四掛線突起方向に移動して、第四掛線突起に巻き付いて出線し、経由する電極の箇所でハンダ溶接が行なわれて、線材と電極がハンダ溶接されて固定されることを特徴とする。
【００１２】
またさらに、本発明の巻線方法は、コア上に線材を巻き付けるのに用いられて、複数の線材が同時に牽引されて、コアの一端の突起縁上の複数の電極を経て、各線材がそれぞれ前記複数の電極にハンダ溶接されて固定された後、コアのボビンに巻き付けられ、線材がコアの他端突起縁から出線すると、一部の複数の線材は巻き付いて両電極間の治具に進入して電極を折り返した後出線し、線材が経由した電極上において線材がその電極にハンダ溶接されて固定され、一部の線材は治具を折り返さず、前述の折り返した線材に伴って出線し、前記治具が巻線完了後、コア両電極間から取り除かれることを特徴とする。
【００１３】
またさらに、本発明の巻線装置は、コア上に線材を巻き付けるのに用いられて、駆動を受けて回転を行ない、固定留め爪及び可動留め爪を備えて、二者の間の前端には第一留め口が設置される第一留め具と、駆動を受けて回転を行ない、挟み台座部を備えて、挟み台座部前端に治具が設置されて、前記治具が着脱可能で挟み台座部上に設置される第二留め具と、前記第一留め具の第一留め口と第二留め具が共同でコアを挟み込んで抵触することで、同一回転方向に回転される時、前記治具がコア両電極間の隙間に進入して、そこに位置することを特徴とする。
【００１４】
またさらに、本発明の巻線装置は、請求項１から６に記載の巻線方法を実行するのに用いられる装置であることを特徴とする。
【００１５】
このように、本発明の実施例における巻線方法及びその装置は、線材が折り返すための治具が第二留め具に設置されることで、コアの構造にいかなる変更をも必要とせずに、線材を巻き付ける効果を達成する。次に、治具自身が、着脱可能な方式により、第二留め具と分離及び組合わせることが可能で、巻線のコアの規格が変更されることで治具を交換する必要が生じた時、第二留め具上の各部材を変更する必要がなく、治具のみを交換すればよい。同時に、治具が着脱可能で分離や組合せができることで、コア上において、異なる電極の数に応じて、その治具の数が対応可能で、巻線のステップにおけるリターンステップにより、一部の電極の箇所における線材は斜めに出線し、一部の電極の箇所における線材は縦向きに出線する。
【発明の効果】
【００１６】
本発明の実施例における巻線方法及びその装置は、線材が折り返すための治具が第二留め具に設置されることで、コアの構造にいかなる変更をも必要とせずに、線材を巻き付ける効果を達成する。次に、治具自身が、着脱可能な方式により、第二留め具と分離及び組合わせることが可能で、巻線のコアの規格が変更されることで治具を交換する必要が生じた時、第二留め具上の各部材を変更する必要がなく、治具のみを交換すればよい。同時に、治具が着脱可能で分離や組合せができることで、コア上において、異なる電極の数に応じて、その治具の数が対応可能で、巻線のステップにおけるリターンステップにより、一部の電極の箇所における線材は斜めに出線し、一部の電極の箇所における線材は縦向きに出線するという特徴を有する。
【図面の簡単な説明】
【００１７】
【図１】本発明の実施例における巻線装置の仕組みを示した図である。
【図２】本発明の実施例における巻線装置を上から見た部分平面図である。
【図３】本発明の実施例における第二留め具の挟み台座部上の構造を示した立体分解図である。
【図４】本発明の実施例における第二留め具の挟み台座部とコアの対応関係を示した図である。
【図５】本発明の実施例における第二留め具の挟み台座部とコアの対応関係を示した断面図である。
【図６】本発明の実施例における治具の掛線台座部とコア電極間の組み合わせ関係を示した図である。
【図７】本発明の実施例における入線巻線開始ステップを示した図である。
【図８】本発明の実施例における掛線折り返しステップを示した図である。
【図９】本発明の実施例におけるリターンステップを示した図である。
【図１０】本発明の実施例における出線ステップを示した図である。
【発明を実施するための形態】
【００１８】
図１、図２を参照しながら説明する。本発明の実施例におけるコイルの巻線方法について、図に示した巻線装置1の場合を例として説明する。本発明の巻線装置は、第一留め具11を備え、駆動を受けて回転を行なう。第一留め具11は、固定留め爪111及び可動留め爪112を備える。二者間の前端には、第一留め口113が設置される。前記の可動留め爪112は、固定部材114及び固定部材とピン115によって軸設置される可動部材116から構成される。固定部材113と可動部材116の間には、弾性素子117が設置されて、可動部材116のピン115による回転軸心の回転に弾力性をもたせる。可動部材116は、第一留め口113中において巻線を行なうコア2に対して、適度な緊張度によって挟んで固定される。前記の第一留め具11の固定留め爪111上には、第一掛線突起A1、第二掛線突起A2、第三掛線突起A3が設置されて、コア2に巻き付けられる線材が掛けられて、コア2上で折り返すのに供される。
第二留め具12は、駆動を受けて回転し、挟み台座部121を備え、挟み台座部121前端には、治具13が設置される。前記の治具13は、挟み台座部121上の治具台座部122前端に設置されて、異なる治具13に交換されることで、異なるサイズに対応して、コア2を挟んで固定する。前記の第二留め具12の挟み台座部121上には、第四掛線突起A4、第五掛線突起A5、第六掛線突起A6が設置されて、コア2に巻き付けられる線材が掛けられて、折り返すのに供される。前記第二留め具12は、本実施例においては、コア2に抵触して支え、その位置を固定するのみに供され、第一留め口113と第二留め具12が共同でコア2に抵触して支えることで、同一回転方向に回転される。
【００１９】
図３、図４を参照しながら説明する。前記第二留め具１２の挟み台座部１２１上には、軸方向の切れ込み槽１２１１が設置されて、切れ込み槽１２１１末端にはめくら穴状の収納穴１２１２を有する。その中には、バネによって構成される弾性素子１２１３が収納される。切れ込み槽１２１１の両側には、それぞれ槽辺１２１４を有し、両槽辺１２１４は、相対応する部位に、凹設状の位置固定区間１２１５が設置される。両槽辺１２１４外には、それぞれ固定台座部１２１６が設置される。切れ込み槽１２１１の底部には、位置固定ピン１２１７が設置される。前記切れ込み槽１２１１上には、スライド台座部１２３が設置されて、その上に軸向のスライド槽１２３１が設置される。さらに、スライド台座部１２３底部には、はめ込み孔１２３２が設置され、前記はめ込み孔１２３２は、前記の切れ込み槽１２１１底部の位置固定ピン１２１７がはめ込まれる。前記のスライド台座部１２３上には、治具台座部１２２が設置され、前記治具台座部１２２上には、凹設状の位置固定区間１２２１が設置されて、前記治具台座部１２２前端に、凹設状に二個の隙間状のはめ込み設定区間１２２２が設置され、底部に固定槽１２２３が設置される。前記治具台座部１２２上の二個のはめ込み設定区間１２２２には、それぞれ治具１３がはめ込まれる。治具１３はいずれも立設形態ではめ込み台座部１３１が形成されて、はめ込み台座部１３１下方には、後ろ向きに固定抵触部１３２が設置される。はめ込み台座部１３１上方には、前向きに掛線台座部１３３が設置される。掛線台座部１３３前端には、湾角部位に折り返し掛端１３３１、及び、折り返し掛端１３３１上縁に位置する遮縁１３３２が設置される。掛線台座部１３３の幅は、コア２上の二個の電極２１間の隙間２１１より小さい。二個の治具１３間の間隔は、ちょうどコア２上の各電極２１間の二個の隙間２１１の間隔に相当する。前記治具台座部１２２に凹設された位置固定区間１２２１上には、押し部材１２４が覆うように設置される。前記押し部材１２４上には、前記第四掛線突起Ａ４、第五掛線突起Ａ５、第六掛線突起Ａ６が設置され、押し部材１２４下方には、同時に凹設区間１２４１が形成される。凹設区間１２４１両側は、それぞれ挟み台座部１２１上の二個の固定台座部１２１６に対応する跨ぎ台座部１２４２が形成される。
組み合わされる際には、切れ込み槽１２１１末端において、収納穴１２１２内に、弾性素子１２１３が収納された後、さらに、スライド台座部１２３が、はめ込み孔１２３２において、挟み台座部１２１上の位置固定ピン１２１７下部に設置された切れ込み槽１２１１中に対応する。さらに、各治具１３のはめ込み台座部１３１は、治具台座部１２２前端に凹設されたはめ込み設定区間１２２２中にはめ込まれ、はめ込み台座部１３１下方の固定抵触部１３２が、治具台座部１２２底部の固定槽１２２３にはめ込まれる。さらに、全体が、スライド台座部１２３のスライド槽１２３１中に設置されて、最後に、押し部材１２４下方に凹設された凹設区間１２４１によって、治具台座部１２２上に凹設された位置固定区間１２２１が覆われて、二個の跨ぎ台座部１２４２が挟み台座部１２１上の二個の固定台座部１２１６上に対応して、これを跨ぎ、しっかりとはめ込まれて、図４に示した状態となる。
【００２０】
図５を参照しながら説明する。治具台座部122の後側は、ちょうど弾性素子1213に対応して、これに抵触し、その作用を受ける。押し部材124の幅は、治具台座部122上に凹設された位置固定区間1221の幅より小さいため、治具台座部122が弾性素子1213の作用を受ける時、移動可能な移動区間dを提供する。各治具13の固定抵触部132は、治具台座部122底部の固定槽1223にはめ込まれることにより、治具台座部122が、前記移動区間dにおいて移動して、コア2に抵触したり、コア2から離脱したりすると同時に治具13と連動して同時に移動する。
【００２１】
図６を参照しながら説明する。各治具台座部１２２が前進してコア２に抵触する時、連動される各治具１３上の掛線台座部１３３が、コア２の二個の電極２１の間の隙間２１１中に進入する。このうち、進入方向と逆の方向に掛線台座部１３３前端に向かって、掛線台座部１３３前端の湾角部位の折り返し掛端１３３１は左側よりの電極２１であり、前記左側の電極２１は、巻線を行なう時、線材が前記折り返し掛端１３３１を経て折れ曲がった後、その上を経て電極２１にハンダ付けが行なわれる。
【００２２】
図７を参照しながら説明する。本発明の実施例において、巻線を行なう時、先ず入線巻き付けのステップを実施することで、同一巻き付け軸の三個の異なる巻き針が同時に三本の線材L1、L2、L3を牽引して、第一留め具11上の第一掛線突起A1、第二掛線突起A2、第三掛線突起A3を経由して巻き付けられる。さらに、電極21a、21b、21cを経由する時、線材L1、L2、L3は前記電極21a、21b、21cの箇所において、溶接されて固定される。その後、第一留め具11、第二留め具12が、コア2を挟んで、同時に逆時計回りに回転することで、線材L1、L2、L3は、ボビン23上に巻き付けられる。所定の回数が巻かれたら、この時巻き針が線材L1、L2、L3を牽引して、二個の治具13を通り越して右側に至る。このうち、線材L3は、右側治具13の掛線台座部133の遮縁1332下方を経て、線材L2は左側治具13の掛線台座部133の遮縁1332下方及び右側治具13の掛線台座部133の遮縁1332上方を経て、さらに、線材L1は左側治具13の掛線台座部133の遮縁1332上方を経る。
【００２３】
図８を参照しながら説明する。折り返しステップを実行することで、同一巻き付け軸の三個の異なる巻き針が、線材L1、L2、L3を牽引して、第五掛線突起A5、第六掛線突起A6方向に向かって移動して、線材L2、L3をそれぞれ左、右治具13の折り返し掛端1331の下に寄せて折れ曲がらせる。線材L2、L3は、それぞれ牽引して電極21e、21fを経由して、第五掛線突起A5、第六掛線突起A6を巻き付けて、電極21e、21fの箇所でハンダ付けが行なわれることで、線材L2、L3が、それぞれ電極21e、21fにハンダ溶接で固定される。線材L1と線材L2、L3は、異なる巻き針から出るが、同一巻き付け軸に属するため、このステップにおいて、線材L1も牽引されるのに伴って、第五掛線突起A5、第六掛線突起A6の箇所の近くまで牽引される。しかしながら、一つ前のステップにおいて、線材L1は、左側の治具13の掛線台座部133の遮縁1332上方を経由するため、左、右治具13の折り返し掛端1331を折り曲がることがなく、第五掛線突起A5、第六掛線突起A6をも経由しない。
【００２４】
図９を参照しながら説明する。リターンステップを実行することで、同一巻き付け軸の三個の異なる巻き針が線材L1、L2、L3を牽引して、電極21d、21e、21f前方に向かってやや中央よりの位置に戻る。
【００２５】
図１０を参照しながら説明する。出線ステップを実行することで、同一巻き付け軸の三個の異なる巻き針が、線材L1、L2、L3を牽引することにより、やや縦向きに出線して、第四掛線突起A4の方向に向かって移動して、第四掛線突起A4に巻き付いて出線し、電極21dの箇所でハンダ付けが行なわれることで、線材L1と電極21dがハンダ溶接で固定される。
【００２６】
本発明の実施例による巻線方法及び装置は、線材を折れ曲がって巻き付ける治具13が第二留め具12上に設置されることで、コア2の構造が、いかなる変更も必要とせずに、線材を巻き付ける効果を達成する。次に、治具13自身が、着脱可能な方式によって、第二留め具12と分離及び組立が可能で、巻線が実施されるコア2の規格の変更の影響により、治具13を交換する時、第二留め具12上の各部材を変更する必要がなく、治具13を交換するのみである。同時に、治具13の着脱可能な分離及び組立により、コア2上の異なる電極数に応じて、治具13の数量にも対応でき、巻線のステップにおけるリターンステップによって、一部の電極箇所の線材が斜めに出線させ、一部の電極箇所の線材を縦に出線させる。
【００２７】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００２８】
１        巻線装置
１１      第一留め具
１１１    固定留め爪
１１２    可動留め爪
１１３    第一留め口
１１４    固定部材
１１５      ピン
１１６    可動部材
１１７    弾性素子
１２      第二留め具
１２１    挟み台座部
１２１１  切れ込み槽
１２１２  収納穴
１２１３  弾性素子
１２１４  槽辺
１２１５  位置固定区間
１２１６  固定台座部
１２１７  位置固定ピン
１２２    治具台座部
１２２１  位置固定区間
１２２２  はめ込み設定区間
１２２３  固定槽
１２３    スライド台座部
１２３１  スライド槽
１２３２  はめ込み孔
１２４    押し部材
１２４１  凹設区間
１２４２  跨ぎ台座部
１３      治具
１３１    はめ込み台座部
１３２    固定抵触部
１３３    掛線台座部
１３３１  折り返し掛端
１３３２  遮縁
２        コア
２１      電極
２１１    隙間
２１ａ    電極
２１ｂ    電極
２１ｃ    電極
２１ｄ    電極
２１ｅ    電極
２１ｆ    電極
Ａ１      第一掛線突起
Ａ２      第二掛線突起
Ａ３      第三掛線突起
Ａ４      第四掛線突起
Ａ５      第五掛線突起
Ａ６      第六掛線突起
ｄ        移動区間
Ｌ１      線材
Ｌ２      線材
Ｌ３      線材
【図１】
0005993468.tif 000002
【図２】
0005993468.tif 000003
【図３】
0005993468.tif 000004
【図４】
0005993468.tif 000005
【図５】
0005993468.tif 000006
【図６】
0005993468.tif 000007
【図７】
0005993468.tif 000008
【図８】
0005993468.tif 000009
【図９】
0005993468.tif 000010
【図１０】
0005993468.tif 000011